(57)【要約】【課題】相手端子の誤挿入防止を図り、また、端子の取り外しに係る作業性向上を図り、さらには、金型構造の簡素化や端子保持力の向上を図ることが可能なフロントホルダー等を提供する。【解決手段】ランス干渉部７は、この先端側から基端側に向けて弾性部分１１と非弾性部分１２とを連続するように有している。また、ランス干渉部７は、斜面１３を有している。弾性部分１１は、斜面１３の傾斜に合わせた形状に形成されている。弾性部分１１は、この下側に撓み空間１４を有する形状に形成されている。弾性部分１１は、この先端がランス成形穴１７の下面に当接し且つ斜面１３にランス１６が当接した状態で、撓み空間１４側に若干撓むことができるように形成されている。非弾性部分１２は、ランス１６が斜面１３を摺接しても撓みが生じない部分として形成されている。【選択図】図７
2010186612.tif 000002
【特許請求の範囲】
【請求項１】
ランスを形成するため生じるコネクタハウジングのランス成形穴に対し差し込まれるランス干渉部を有し、
該ランス干渉部はこの先端側から基端側に向けて弾性部分と非弾性部分とを連続するように有し、
前記弾性部分及び前記非弾性部分は前記ランスを撓ませてこの位置を変える斜面を有する
ことを特徴とするフロントホルダー。
【請求項２】
請求項１に記載のフロントホルダーにおいて、
前記コネクタハウジングに対し引っ掛かり係止されるホルダー側係止部を有し、該ホルダー側係止部の引っ掛かり合い部分は前記コネクタハウジングにおけるハウジング側係止部の仮係止位置と本係止位置と解除位置の三つの位置を移動する
ことを特徴とするフロントホルダー。
【請求項３】
請求項１又は請求項２に記載のフロントホルダーの係止先となるコネクタハウジングにおいて、
ランスは前記フロントホルダーの係止位置に応じて位置が変わるように形成される
ことを特徴とするコネクタハウジング。
【請求項４】
請求項３に記載のコネクタハウジングにおいて、
前記ランスは端子の着脱時に該端子に摺接する凸部を有する
ことを特徴とするコネクタハウジング。
【請求項５】
請求項１又は請求項２に記載のフロントホルダーと、
請求項３又は請求項４に記載のコネクタハウジングと、
該コネクタハウジングに収容される端子と、
を備えてなる
ことを特徴とするコネクタ。
【発明の詳細な説明】
【技術分野】
【０００１】
本発明は、フロントホルダーとコネクタハウジングとこれらを備えてなるコネクタとに関する。
【背景技術】
【０００２】
下記特許文献１に開示されたコネクタは、複数の雌型の端子と、コネクタハウジングとを備えて構成されている。コネクタハウジングには、雌型の端子を各々収容するための端子収容室が複数形成されている。雌型の端子は、対応する端子収容室に収容されると、可撓性を有するランスによって係止され、これにより端子収容室から抜け出さないようになっている。下記特許文献１に開示されたコネクタにおけるコネクタハウジングの場合、ランスを形成するために型抜き穴（ランス成形穴）が生じている。この型抜き穴は、ランスの大きさや撓み量に応じてハウジング前面での開口する大きさが決まってしまうことから、比較的大きな穴になっている。
【０００３】
ところで、端子収容室に収容された雌型の端子を取り外す必要がある場合には、上記型抜き穴に棒状の端子抜き治具を差し込み、そして、差し込んだ端子抜き治具によってランスと端子との係止状態を解除するようになる。これにより、端子を端子収容室から引き抜いて取り外すことができるようになる。
【先行技術文献】
【特許文献】
【０００４】
【特許文献１】特開２００６−１００２２７号公報
【発明の概要】
【発明が解決しようとする課題】
【０００５】
上記従来技術にあっては、コネクタハウジングの型抜き穴（ランス成形穴）が比較的大きな穴であることから、雌型の端子に接続される相手側雄型端子の先端が誤挿入されてしまう虞がある。仮に、誤挿入された場合には雄型端子の先端が曲がってしまい、その後の正規な接続に支障を来してしまうことになる。
【０００６】
この他、上記従来技術にあっては、端子の取り外しに端子抜き治具を使用する必要があることから、面倒な取り外し作業になってしまうという問題点を有している。また、上記従来技術にあっては、コネクタの前面を形成しつつランスや型抜き穴も形成しなければならないことから、コネクタハウジングを成形する金型構造が複雑になってしまうという問題点を有している。
【０００７】
上記従来技術にあっては、ランスによる端子保持力を向上させるために、ランスに補強リブを設けているが、補強リブの形状によっては成形金型の構造がより一層複雑なものとなってしまう虞がある。
【０００８】
本発明は、上記した事情に鑑みてなされたもので、相手端子の誤挿入防止を図り、また、端子の取り外しに係る作業性向上を図り、さらには、金型構造の簡素化や端子保持力の向上を図ることが可能なフロントホルダー、コネクタハウジング、及びコネクタを提供することを課題とする。
【課題を解決するための手段】
【０００９】
上記課題を解決するためになされた請求項１記載の本発明のフロントホルダーは、ランスを形成するため生じるコネクタハウジングのランス成形穴に対し差し込まれるランス干渉部を有し、該ランス干渉部はこの先端側から基端側に向けて弾性部分と非弾性部分とを連続するように有し、前記弾性部分及び前記非弾性部分は前記ランスを撓ませてこの位置を変える斜面を有することを特徴としている。
【００１０】
このような特徴を有する本発明によれば、ランス干渉部によりコネクタハウジングのランス成形穴を塞ぐ。ランス干渉部は、ランス成形穴に差し込まれてランスを撓ませ、このランスの位置を変える。ランス干渉部は、非弾性部分においてランスを撓ませない状態にする。ランス干渉部は、ランスの位置を変える前、言い換えれば撓ませる前の状態において、端子の取り外しを許容する。フロントホルダーは、コネクタの前面を形成するためのコネクタ構成部材である。
【００１１】
請求項２記載の本発明のフロントホルダーは、請求項１に記載のフロントホルダーにおいて、前記コネクタハウジングに対し引っ掛かり係止されるホルダー側係止部を有し、該ホルダー側係止部の引っ掛かり合い部分は前記コネクタハウジングにおけるハウジング側係止部の仮係止位置と本係止位置と解除位置の三つの位置を移動することを特徴としている。
【００１２】
このような特徴を有する本発明によれば、コネクタハウジングに対する係止位置は、仮係止位置と本係止位置と解除位置とがある。これら係止位置における作用に関しては実施例の欄で詳細に説明する。
【００１３】
上記課題を解決するためになされた請求項３記載の本発明のコネクタハウジングは、請求項１又は請求項２に記載のフロントホルダーの係止先となるコネクタハウジングにおいて、ランスは前記フロントホルダーの係止位置に応じて位置が変わるように形成されることを特徴としている。
【００１４】
このような特徴を有する本発明によれば、ランスは端子の着脱時に端子からの力によって撓むのではなく、フロントホルダーのランス干渉部によって撓まされ位置を変える。
【００１５】
請求項４記載の本発明のコネクタハウジングは、請求項３に記載のコネクタハウジングにおいて、前記ランスは端子の着脱時に該端子に摺接する凸部を有することを特徴としている。
【００１６】
このような特徴を有する本発明によれば、凸部を端子に接触させるようにして、端子の着脱時にある程度の保持力（摩擦力）を確保する。
【００１７】
上記課題を解決するためになされた請求項５記載の本発明のコネクタは、請求項１又は請求項２に記載のフロントホルダーと、請求項３又は請求項４に記載のコネクタハウジングと、該コネクタハウジングに収容される端子と、を備えてなることを特徴としている。
【００１８】
このような特徴を有する本発明によれば、コネクタ前面をフロントホルダーによって構成するものとなる。フロントホルダーによりコネクタ前面を構成することから、コネクタハウジングの金型構造は簡素化する。フロントホルダーは、この係止位置に応じてランスを変位させ、本係止位置においてはランスを撓ませない状態にする。
【発明の効果】
【００１９】
請求項１に記載された本発明のフロントホルダーによれば、コネクタハウジングのランス成形穴を塞ぐことから、相手端子の誤挿入を防止することができるという効果を奏する。また、本発明によれば、端子抜き治具を使用しなくとも端子の取り外しをすることができ、結果、作業性の向上を図ることができるという効果を奏する。さらに、本発明によれば、本発明のフロントホルダーはコネクタの前面を形成するためのコネクタ構成部材であることから、コネクタハウジングの金型構造を簡素化することができるという効果を奏する。さらにまた、本発明によれば、本発明のフロントホルダーの構造によって、端子保持力の向上を図ることができるという効果を奏する。これにより、ランスの構造を簡素化することができるという効果を奏する。
【００２０】
請求項２に記載された本発明のフロントホルダーによれば、コネクタハウジングに対する係止位置に応じてランスの位置を変えることができ、これによって例えば作業性の向上等を図ることができるという効果を奏する。
【００２１】
請求項３に記載された本発明のコネクタハウジングによれば、請求項１又は請求項２に記載のフロントホルダーのより良い係止先として提供することができるという効果を奏する。
【００２２】
請求項４に記載された本発明のコネクタハウジングによれば、端子着脱時における、ある程度の保持力確保に寄与することができるという効果を奏する。
【００２３】
請求項５に記載された本発明のコネクタによれば、より良いコネクタを提供することができるという効果を奏する。すなわち、相手端子の誤挿入防止を図り、また、端子の取り外しに係る作業性向上を図り、さらには、金型構造の簡素化や端子保持力の向上を図ることが可能なコネクタを提供することができるという効果を奏する。
【図面の簡単な説明】
【００２４】
【図１】本発明のコネクタを示す斜視図である。
【図２】本発明のフロントホルダーを示す斜視図である。
【図３】フロントホルダーの背面側を示す斜視図である。
【図４】フロントホルダーの断面図である。
【図５】本発明のコネクタハウジングの斜視図である。
【図６】仮係止位置でのホルダー側係止部及びハウジング側係止部を示す断面図である。
【図７】仮係止位置でのランス干渉部及びランスを示す断面図である。
【図８】本係止位置でのホルダー側係止部及びハウジング側係止部を示す断面図である。
【図９】本係止位置でのランス干渉部及びランスを示す断面図である。
【図１０】解除位置でのホルダー側係止部及びハウジング側係止部を示す断面図である。
【図１１】解除位置でのランス干渉部及びランスを示す断面図である。
【発明を実施するための形態】
【００２５】
フロントホルダーにランス干渉部を設け、このランス干渉部によってコネクタハウジングのランス成形穴を塞ぐ。ランス干渉部は、ランス成形穴に差し込まれてランスを撓ませランスの位置を変える。従来のランスは、端子の着脱時に端子からの作用によって撓むが、本発明においてのランスはフロントホルダーのランス干渉部からの作用によって撓む。
【実施例】
【００２６】
以下、図面を参照しながら実施例を説明する。図１は本発明のコネクタを示す斜視図である。
【００２７】
図１において、引用符号１は図示しないワイヤハーネスの端末に設けられる本発明のコネクタを示している。コネクタ１は、本発明のフロントホルダー２と、本発明のコネクタハウジング３と、上記ワイヤハーネスを構成する複数の電線の各端末に接続される端子４（雌型の端子。図７参照）とを備えて構成されている（尚、端子４を二重に係止するためのスペーサを構成に含んでもよいものとする）。
【００２８】
コネクタハウジング３の内部には、端子４が複数収容されている。このようなコネクタハウジング３の前部には、フロントホルダー２が係止されて、端子４の前方への抜けが防止されている。コネクタ１は、この前面がフロントホルダー２によって形成されている。先ず、各構成部材について説明する。
【００２９】
図２ないし図４には、フロントホルダー２が示されている。図２は本発明のフロントホルダーを示す斜視図、図３はフロントホルダーの背面側を示す斜視図、図４はフロントホルダーの断面図である。
【００３０】
図２ないし図４において、フロントホルダー２は、絶縁性を有する合成樹脂製の成形品であって、ホルダー本体５と、このホルダー本体５の左右両側に連成される一対のホルダー側係止部６と、ホルダー本体５の背面に複数連成されるランス干渉部７とを有している。
【００３１】
ホルダー本体５は、コネクタ１（図１参照）の前面を構成する部分であって、横一列且つ上下二段に並ぶ複数の間口孔８を有している。間口孔８は、端子４（図７参照）に向けて図示しない相手側雄型端子を案内することができるように形成されている。
【００３２】
ホルダー側係止部６は、ホルダー本体５の左右両側の上側に連成されており、略倒Ｕ字状となる形状に形成されている。もう少し詳しく説明すると、ホルダー側係止部６は、可撓性を有する上下一対のアーム部分９と、各アーム部分９の先端外側に突出する係止突起部分１０（引っ掛かり合い部分）とを有している。上下一対のアーム部分９は、これらが近づく方向に撓むことができるように形成されている。係止突起部分１０は、後述するが、コネクタハウジング３におけるハウジング側係止部２４の仮係止位置部２８、本係止位置部２９、及び解除位置部２７の三つの位置を移動するようになっている（図７、図９、及び図１１参照）。
【００３３】
ランス干渉部７は、ホルダー本体５の背面であって各間口孔８の下側に連成されている。ランス干渉部７は、間口孔８の数分だけ、言い換えれば後述するランス成形穴１７（図７参照）の数分だけ形成されている。ランス干渉部７は、ランス成形穴１７の位置に合わせて配置形成されている。また、ランス干渉部７は、ランス成形穴１７を塞ぐことができるように形成されている。
【００３４】
ランス干渉部７は、この先端側から基端側に向けて弾性部分１１と非弾性部分１２とを連続するように有している。また、ランス干渉部７は、弾性部分１１及び非弾性部分１２に跨るように形成される斜面１３を有している。
【００３５】
弾性部分１１は、薄肉の片状となる形状に形成されている。また、弾性部分１１は、斜面１３の傾斜に合わせた形状に形成されている。さらに、弾性部分１１は、この下側に撓み空間１４を有する形状に形成されている。弾性部分１１の先端は、後述するランス成形穴１７（図７参照）の下面に対して当接するように形成されている。弾性部分１１は、この先端がランス成形穴１７の下面に当接し且つ斜面１３に後述するランス１６（図７参照）が摺接した状態で、撓み空間１４側に若干撓むことができるように形成されている。
【００３６】
非弾性部分１２は、弾性部分１１と異なり、後述するランス１６（図７参照）が斜面１３を摺接しても撓みが生じない部分として形成されている。非弾性部分１２の下面は、弾性部分１１の先端と同じ位置に配置形成されている。非弾性部分１２における斜面１３は、弾性部分１１における斜面１３と同じ傾斜になっている。斜面１３は、後述するランス１６（図７参照）に対して摩擦抵抗が少なくなるような状態且つ形状に形成されている。斜面１３の傾斜は任意であるものとする（図４に示す如くの急な傾斜にならない方が、フロントホルダー２の組み付けや後述するランス１６の変位をスムーズにすることができるようになる）。
【００３７】
図５にはコネクタハウジング３が示されている。図５は本発明のコネクタハウジングの斜視図である。
【００３８】
図５において、コネクタハウジング３は、絶縁性を有する合成樹脂製の成形品であって、この内側に複数の端子収容室１５と、ランス１６と、ランス成形穴１７とを有している。また、コネクタハウジング３は、この外側の上部にロックアーム１８と、ハウジングロック保護部１９とを有している。さらに、コネクタハウジング３は、この前側にフロントホルダー組み付け部２０を有している。
【００３９】
端子収容室１５は、コネクタハウジング３の前後方向に貫通するように形成されている。端子収容室１５は、横一列且つ上下二段に並ぶように配置形成されている。端子収容室１５は、端子４（図７参照）における箱形の電気接触部の形状に合わせて形成されている。
【００４０】
ランス１６（図７参照）は、端子収容室１５の下面位置から斜め下方向にのびるような片持ちのアーム形状に形成されている。このランス１６の先端には、端子４を係止するための端子係止部分２１と、小さな突起となる凸部分２２（凸部）とが形成されている。端子係止部分２１及び凸部分２２は、図示の如く連続するように配置形成されている（端子係止部分２１は、側面視略Ｌ字状となる形状に形成されており、端子４を引っ掛けることができるようになっている）。凸部分２２は、端子４の着脱時において、この端子４の電気接触部底面を摺接する部分として形成されている。ランス１６は、端子収容室１５に端子４を収容しない状態、且つフロントホルダー２のランス干渉部７が干渉しない状態において、端子収容室１５の下面位置から凸部分２２が若干突出するような形状に形成されている。
【００４１】
ランス成形穴１７は、ランス１６を形成するための型抜き穴であって、端子収容室１５の下に連成されている。
【００４２】
ロックアーム１８は、図示しない相手側コネクタハウジングとの嵌合の際に用いられる部分として、また、ハウジングロック保護部１９は、ロックアーム１８を保護する部分として形成されている。
【００４３】
フロントホルダー組み付け部２０は、フロントホルダー２（図２参照）のホルダー本体５を収容するホルダー本体収容部２３と、フロントホルダー２の一対のホルダー側係止部６に対応するハウジング側係止部２４とを有している。ホルダー本体収容部２３は、ホルダー本体５の厚みに応じた凹みとなる部分に形成されている。
【００４４】
ハウジング側係止部２４に関し、図６を参照する。図６は仮係止位置でのホルダー側係止部及びハウジング側係止部を示す断面図である。
【００４５】
ハウジング側係止部２４は、図６に示す如くホルダー側係止部６を案内するための溝状部分２５と、フロントホルダー２の係止位置を決定するためのホルダー係止位置決定部分２６とを有している。ホルダー係止位置決定部分２６は、コネクタハウジング３の前側から順に縦溝状の解除位置部２７、仮係止位置部２８、本係止位置部２９を有している。フロントホルダー２は、ホルダー側係止部６の下側の係止突起部分１０がホルダー係止位置決定部分２６を移動するとともに、これに引っ掛かり合うようになっている。フロントホルダー２の係止位置に関しては、通常、仮係止位置と本係止位置との二つの位置であるが、本発明では解除位置も含んでいることが大きな違いになっている。
【００４６】
図７には、端子４が示されている。端子４は、雌型の端子であって、導電性を有する金属薄板をプレス加工することにより形成されている。端子４は、箱形の電気接触部３０と、図示しない電線の端末を接続する電線接続部とを有している。電気接触部３０の内部には、図示しない相手側雄型端子に弾性的に接触する弾性接触片３１が形成されている。電気接触部３０の底壁部分には、ランス１６の端子係止部分２１に引っ掛かり係止される係止凹部３２が形成されている。端子４は、公知のものが使用されている。
【００４７】
次に、フロントホルダー２の係止に係る作用について、図６ないし図１１を参照しながら説明する。
【００４８】
図６は仮係止位置でのホルダー側係止部及びハウジング側係止部を示す断面図、図７は仮係止位置でのランス干渉部及びランスを示す断面図、図８は本係止位置でのホルダー側係止部及びハウジング側係止部を示す断面図、図９は本係止位置でのランス干渉部及びランスを示す断面図、図１０は解除位置でのホルダー側係止部及びハウジング側係止部を示す断面図、図１１は解除位置でのランス干渉部及びランスを示す断面図である。
【００４９】
図６及び図７に示す如く、フロントホルダー２をコネクタハウジング３に対して仮係止状態にすると、この時、フロントホルダー２におけるホルダー側係止部６の係止突起部分１０は、ホルダー係止位置決定部分２６の仮係止位置部２８に引っ掛かる。また、フロントホルダー２のランス干渉部７は、コネクタハウジング３のランス成形穴１７に差し込まれる。ランス干渉部７は、弾性部分１１の先端がランス成形穴１７の下面に当接しながらこの下面を摺接する。ランス干渉部７は、斜面１３にランス１６が当接すると、ランス１６を端子収容室１５側へ持ち上げる。持ち上げられたランス１６は、この凸部分２２が端子収容室１５の下面位置から上に突出する。凸部分２２が突出することにより、端子係止部分２１の上側も若干突出するようになる。
【００５０】
このような状態で端子収容室１５に端子４を挿入して収容すると、ランス１６の凸部分２２が端子４における電気接触部３０の底面を摺接する。この時、ランス１６は端子４からの力を受けるようになることから、ランス干渉部７の弾性部分１１は撓み空間１４側に若干撓み、これによって上記力が吸収される。端子４を所定位置まで収容すると、端子４はこの係止凹部３２に、若干突出した状態にある端子係止部分２１が挿入される。端子４は、剪断による保持が発生する位置に収容係止される。
【００５１】
図８及び図９に示す如く、フロントホルダー２をコネクタハウジング３に対して本係止状態にすると、この時、フロントホルダー２におけるホルダー側係止部６の係止突起部分１０は、ホルダー係止位置決定部分２６の本係止位置部２９に引っ掛かる。フロントホルダー２は、コネクタハウジング３に対して完全に組み付けられる。本係止状態の時、フロントホルダー２のランス干渉部７は、より一層ランス成形穴１７の奥に差し込まれる。ランス干渉部７がより一層奥に差し込まれると、フロントホルダー２は、非弾性部分１２の斜面１３によってランス１６を端子収容室１５側へ更に持ち上げる。ランス１６が持ち上げられると、端子４はこの係止凹部３２に端子係止部分２１が完全に挿入される。非弾性部分１２はバネ性がないことから、ランス１６は撓むことがなく、端子４は確実に係止される。
【００５２】
ところで、端子収容室１５に収容された端子４を取り外す必要がある場合には、図１０及び図１１に示す如くの状態にする（フロントホルダー２をコネクタハウジング３の前側へ移動させる）。この時、フロントホルダー２におけるホルダー側係止部６の係止突起部分１０は、ホルダー係止位置決定部分２６の解除位置部２７に引っ掛かる。また、フロントホルダー２のランス干渉部７は、ランス１６との干渉がない状態になる。ランス干渉部７が干渉しないことから、ランス１６はこの復元力によって元の状態に戻る。ランス１６が元の状態に戻れば、端子４を端子収容室１５から引き抜いて取り外しをすることが可能になる。
【００５３】
尚、端子４の引き抜きの最中に電気接触部３０の底面をランス１６の凸部分２２が摺接することから、端子４に対して、ある程度の保持力（摩擦力）を確保することができるようになる。保持力は、例えば必要な端子４だけを取り外す時などに有効である。
【００５４】
以上、図１ないし図１１を参照しながら説明してきたように、本発明によれば、フロントホルダー２でコネクタハウジング３のランス成形穴１７を塞ぐことから、相手端子の誤挿入を防止することができるという効果を奏する。
【００５５】
また、本発明によれば、ランス干渉部７の構造によって、端子抜き治具を使用しなくとも端子４の取り外しをすることができるという効果を奏する。これにより、作業性の向上を図ることができるという効果を奏する。
【００５６】
さらに、本発明によれば、フロントホルダー２がコネクタ１の前面を形成することから、コネクタハウジング３の金型構造を従来例よりも簡素化することができるという効果を奏する。
【００５７】
さらにまた、本発明によれば、ランス干渉部７の構造によって、端子保持力の向上を図ることができるという効果を奏する。これにより、ランス１６の構造を従来例よりも簡素化することができるという効果を奏する。
【００５８】
本発明は本発明の主旨を変えない範囲で種々変更実施可能なことは勿論である。
【符号の説明】
【００５９】
１…コネクタ
２…フロントホルダー
３…コネクタハウジング
４…端子
５…ホルダー本体
６…ホルダー側係止部
７…ランス干渉部
８…間口孔
９…アーム部分
１０…係止突起部分（引っ掛かり合い部分）
１１…弾性部分
１２…非弾性部分
１３…斜面
１４…撓み空間
１５…端子収容室
１６…ランス
１７…ランス成形穴
１８…ロックアーム
１９…ハウジングロック保護部
２０…フロントホルダー組み付け部
２１…端子係止部分
２２…凸部分（凸部）
２３…ホルダー本体収容部
２４…ハウジング側係止部
２５…溝状部分
２６…ホルダー係止位置決定部分
２７…解除位置部（解除位置）
２８…仮係止位置部（仮係止位置）
２９…本係止位置部（本係止位置）
３０…電気接触部
３１…弾性接触片
３２…係止凹部
【図１】
2010186612.tif 000003
【図２】
2010186612.tif 000004
【図３】
2010186612.tif 000005
【図４】
2010186612.tif 000006
【図５】
2010186612.tif 000007
【図６】
2010186612.tif 000008
【図７】
2010186612.tif 000009
【図８】
2010186612.tif 000010
【図９】
2010186612.tif 000011
【図１０】
2010186612.tif 000012
【図１１】
2010186612.tif 000013